(57)【要約】【課題】切欠き加工を施していない床スラブにおいて、熱橋現象を防止し、次世代省エネルギー基準を満たす通常仕上を可能にすること。【解決手段】切欠き加工は施していない床スラブ１の上面には外壁区画壁２が施工してあり、サッシ３が取付けてあり、モルタル３１のサッシ内周面３１ａには、所定幅の断熱ボード６の外端を当接させ、連続して敷設固着する。その後、発泡ウレタン断熱材７を、断熱ボード６の外周端部の上面からサッシの内周面３１ａや外壁区画壁２の内面に吹き付ける。そのため、断熱ボード６により隙間なく熱橋部の断熱補強ができる。その後、床スラブ１の上面にセルフレベリング材８を流し込んで施工し、断熱ボード６を床スラブ１に位置固定する。【選択図】      図１
2004360278.tif 000002
【特許請求の範囲】
【請求項１】
切欠き加工されていない床スラブと、
上記床スラブに設けてある外壁区画壁またはサッシと、
上記床スラブの上面において、その外周端面は上記外壁区画壁またはサッシの内周面に当接した状態で連続的に敷設してある所定幅の断熱ボードと、
上記床スラブの上面を被覆し、上記断熱ボードを所定位置に固定しているセルフレベリング材と、
上記断熱ボードの外周端部から上記外壁区画壁またはサッシの内周面に吹付けしてある発泡ウレタン断熱材と、
上記セルフレベリング材や上記断熱ボードに設けてある床仕上材と
を具備していることを特徴とする建築構造物の断熱補強構造。
【請求項２】
切欠き加工されていない床スラブと、
上記床スラブに設けてある外壁区画壁またはサッシと、
上記床スラブの面から上記外壁区画壁またはサッシの内周面に向けて吹付けしてある発泡ウレタン断熱材と、
上記床スラブの上面において、上記発泡ウレタン断熱材の内周面に当接した状態で連続的に施工してある所定幅の断熱モルタルと、
上記床スラブの上面を被覆し、上記断熱モルタルを所定位置に固定しているセルフレベリング材と、
上記セルフレベリング材や上記断熱モルタルに設けてある床仕上材と
を具備していることを特徴とする建築構造物の断熱補強構造。
【請求項３】
請求項１または２において、上記セルフレベリング材は上記断熱ボードまたは上記断熱モルタルを被覆していることを特徴とする建築構造物の断熱補強構造。
【請求項４】
請求項１または２において、上記セルフレベリング材は上記断熱ボードまたは上記断熱モルタルと同一レベルであることを特徴とする建築構造物の断熱補強構造。
【請求項５】
切欠き加工されていない床スラブに外壁区画壁を施工またはサッシを取付ける工程と、
上記外壁区画壁またはサッシの内周面に当接した状態で所定幅の断熱ボードを施工する工程と、
この断熱ボードを施工した後で発泡ウレタン断熱材を上記断熱ボードの外周端部の上面から上記外壁区画壁またはサッシの内周面に向けて吹き付ける工程と、
上記断熱ボードの内側にセルフレベリング材を施工する工程と
を具備することを特徴とする建築構造物の断熱補強構造の施工方法。
【請求項６】
切欠き加工されていない床スラブに外壁区画壁の施工またはサッシを取付ける工程と、
上記床スラブの面から上記外壁区画壁またはサッシの内周面に向けて発泡ウレタン断熱材を吹き付ける工程と、
上記床スラブの上面において上記発砲ウレタン断熱材の内周面に所定幅の断熱モルタルを施工する工程と、
上記断熱モルタルの上面または内側にセルフレベリング材を施工する工程と
を具備することを特徴とする建築構造物の断熱補強構造の施工方法。
【請求項７】
請求項５または６において、セルフレベリング材の施工レベルは上記断熱ボードまたは断熱モルタルを被覆するものであることを特徴とする建築構造物の断熱補強構造の施工方法。
【請求項８】
請求項５または６において、セルフレベリング材の施工レベルは上記断熱ボードまたは断熱モルタルと同一レベルであることを特徴とする建築構造物の断熱補強構造の施工方法。
【発明の詳細な説明】
【０００１】
【発明の属する技術分野】
本発明は建築構造物の断熱補強構造とその施工方法に関する。
【０００２】
【従来の技術】
従来から集合住宅における内断熱工法の断熱補強として、断熱折り返しが知られている。この折り返しとは、外壁につながっている床や柱、梁についても一定の範囲内で断熱することであって、これは、外壁を内側から断熱する場合、外壁と床や柱、梁がつながっている部分は断熱が切れるため、この箇所から熱が逃げ、即ち、熱橋現象が起こり、住戸内の熱の１０％〜１５％が失われるといわれている。そのため、「次世代省エネルギー基準」では、「折り返し」を外壁から所定の範囲にするように定めている（例えば、非特許文献１、非特許文献２参照。）。
【０００３】
ところが、従来から図３（非特許文献２の第２６８頁に掲載のもの）に示すように、コンクリートの天井や床２１に直接床仕上材２２を張るマンションでは、前記の折り返しをすると吹付け断熱材２３の圧縮強度不足、つまり柔らかすぎる問題や、吹き付け後の凹凸による盛り上がりが目立つため、直床仕上げの下地とすることができず、この断熱材の上面に床仕上材を敷設して浮き床、即ち二重床仕上げが前提になっている。また、他の従来例ではこの折り返しを全くしないものもある。
【０００４】
【非特許文献１】
週間住宅情報「断熱」、平成１３年６月２０日、Ｐ．１０９２、１０９３。
【非特許文献２】
財団法人  住宅・建築省エネルギー機構発行「住宅の次世代省エネルギー基準と指針」平成１１年１１月１日、Ｐ．２６６〜２６８。
【０００５】
【発明が解決しようとする課題】
しかし、断熱材２３の上面に床仕上材２２を敷設する二重床仕上げは、その施工が煩雑であるばかりでなく、コスト、階高のアップにつながる。また、折り返しを全くしないものでは、このようなものは当然、次世代省エネルギー基準を満たしていない。また、直床仕上げとする従来例では、予め床スラブ上面を欠込む（切欠き）必要があり、これでは型枠、コンクリート打設、脱型などの施工手間が増え、さらに、床スラブの平坦精度に問題が生じ易い。
【０００６】
そこで、本発明の目的は、床スラブを切欠くことなく、直床仕上げを可能とし、熱橋現象を防止し、次世代省エネルギー基準を満たしている建築構造物の断熱補強構造とその施工方法を提供することにある。
【０００７】
【課題を解決するための手段】
本発明に係る建築構造物の断熱補強構造の第１の特徴は、切欠き加工されていない床スラブと、上記床スラブに設けてある外壁区画壁またはサッシと、上記床スラブの上面において、その外周端面は上記外壁区画壁またはサッシの内周面に当接した状態で連続的に敷設してある所定幅の断熱ボードと、上記床スラブの上面を被覆し、上記断熱ボードを所定位置に固定しているセルフレベリング材と、上記断熱ボードの外周端部から上記外壁区画壁またはサッシの内周面に吹付けしてある発泡ウレタン断熱材と、上記セルフレベリング材や上記断熱ボードに設けてある床仕上材とを具備しているところにある。
【０００８】
この建築構造物の断熱補強構造の第２の特徴は、切欠き加工されていない床スラブと、上記床スラブに設けてある外壁区画壁またはサッシと、上記床スラブの面から上記外壁区画壁またはサッシの内周面に向けて吹付けしてある発泡ウレタン断熱材と、上記床スラブの上面において、上記発泡ウレタン断熱材の内周面に当接した状態で連続的に施工してある所定幅の断熱モルタルと、上記床スラブの上面を被覆し、上記断熱モルタルを所定位置に固定しているセルフレベリング材と、上記セルフレベリング材や上記断熱モルタルに設けてある床仕上材とを具備しているところにある。
【０００９】
第３の特徴は、上記セルフレベリング材は上記断熱ボードまたは上記断熱モルタルを被覆しているところにある。
【００１０】
第４の特徴は、上記セルフレベリング材は上記断熱ボードまたは上記断熱モルタルと同一レベルであるところにある。
【００１１】
本発明に係る建築構造物の断熱補強構造の施工方法の第１の特徴は、切欠き加工されていない床スラブに外壁区画壁を施工またはサッシを取付ける工程と、上記外壁区画壁またはサッシの内周面に当接した状態で所定幅の断熱ボードを施工する工程と、この断熱ボードを施工した後で発泡ウレタン断熱材を上記断熱ボードの外周端部の上面から上記外壁区画壁またはサッシの内周面に向けて吹き付ける工程と、上記断熱ボードの内側にセルフレベリング材を施工する工程とを具備しているところにある。
【００１２】
本発明に係る建築構造物の断熱補強構造の施工方法の第２の特徴は、切欠き加工されていない床スラブに外壁区画壁の施工またはサッシを取付ける工程と、上記床スラブの面から上記外壁区画壁またはサッシの内周面に向けて発泡ウレタン断熱材を吹き付ける工程と、上記床スラブの上面において上記発砲ウレタン断熱材の内周面に所定幅の断熱モルタルを施工する工程と、上記断熱モルタルの上面または内側にセルフレベリング材を施工する工程とを具備しているところにある。
【００１３】
また、この断熱補強構造の施工方法の第３の特徴は、前記セルフレベリング材の施工レベルは上記断熱ボードまたは断熱モルタルを被覆するものであるところにある。
【００１４】
さらに、この断熱補強構造の施工方法の第４の特徴は、前記セルフレベリング材の施工レベルは上記断熱ボードまたは断熱モルタルと同一レベルであるところにある。
【００１５】
【発明の実施の形態】
以下、図面を参照して、先ず本発明に係る建築構造物の断熱補強構造の第１の実施の態様について説明すると、図１に示す実施の態様は、掃き出しの窓のように腰壁がない構造のもので、切欠き加工されていない床スラブ１には、外壁区画壁２及びモルタル３１を介してサッシ３が設けてあり、さらに、床スラブ１の上面には所定幅の断熱ボード６が、その外周端面を、サッシ３と床スラブ１との隙間を埋めているモルタル３１の内周面（以下「サッシの内周面３１ａ」という）に当接した状態で連続的に接着剤で敷設固着してあり、さらに、セルフレベリング材８が床スラブ１の上面を被覆し、断熱ボード６を所定位置に固定している。また、発泡ウレタン断熱材７が断熱ボード６の外周端部からサッシの内周面３１ａ及びサッシ３の内面に吹付けしてある。そして、床仕上材９がセルフレベリング材８や断熱ボード６を被覆する状態で設けてある。
【００１６】
次に、前記の第１の実施の形態の建築構造物の断熱補強構造の施工方法の実施の形態を説明すると、集合住宅において、ベランダ１ａと床スラブ１を施工し、この床スラブは切欠き加工は施していない。そして、床スラブ１の上面には外壁区画壁２が施工してあり、この外壁区画壁及び床スラブ１にサッシ３が取付けてあり、モルタル３１で、このサッシと床スラブ１及び外壁区画壁２の隙間を埋める。床スラブ１とモルタル３１の外面には、複合塗膜による防水処理を施しモルタル面台４を構成しているが、このモルタル面台は従来から周知なものである。さらに、サッシ３とモルタル面台４との間にはシーリング材５を注入し、防水性能を高めている。
【００１７】
そこで、躯体の床スラブ１は切欠くことなく、その素面において、サッシ内周面３１ａには、所定幅、例えば２０ｃｍ幅の断熱ボード６の外端を、この内周面に当接させ、この内周面に沿った状態で連続して接着剤で敷設固着する。この断熱ボード６としては、例えば厚さ１０〜１５ｍｍの硬質ポリウレタンフォームを芯材として、その両面には防湿材付き補強層を有するもので、例えばアキレス折り返しボード（アキレス株式会社製品）が利用でき、この断熱ボード６は発砲ウレタンと同等の断熱性能を有している。その後、発泡ウレタン断熱材７を、断熱ボード６の外周端部の上面からサッシの内周面３１ａやサッシ３の内面に向けて吹き付ける。このように、断熱ボード６の敷設工事を、発泡ウレタン断熱材７の吹き付け作業に先行して施工してあるため、この発泡ウレタンを吹き付けるだけで、この断熱ボード６により完全に隙間なく熱橋部の断熱補強ができる。
【００１８】
その後、断熱ボード６の内側の床スラブ１の上面にセルフレベリング材８を流し込んで施工し、断熱ボード６を床スラブ１に位置固定する。実験例によると、前記アキレス折り返しボードは圧縮強度が大きく、セルフレベリング材８との付着性もよいことが判った。このことは、後述するサッシの下枠１０に人間が乗った場合、蹴込み板１１を介して大きな荷重が加わっても下がらないことになる。
【００１９】
セルフレベリング材８と下枠１０との間には蹴込み板１１が設けてあり、この蹴込み板の前面には幅木１２が設けてある。そして、床仕上げ材９の外端部を幅木１２に当接した状態で、セルフレベリング材８に床仕上げ材９が設けてある。断熱ボード６が露出している場合は、セルフレベリング材８とこの断熱ボードの上面にこの床仕上げ材９を設ける。
【００２０】
前記第１の実施の態様は、掃出しサッシを用いて床スラブ１にサッシ３をモルタル３１を介して取付けたものであるが、第２の実施の態様として、床スラブ１から立ち上がっている外壁区画壁２を形成した構成の場合を説明する。腰壁がある場合も同様、断熱ボード６の外端は外壁区画壁の内周面（サッシの内周面３１ａと実質的に同じ）に当接しており、発泡ウレタン断熱材７はこの外壁区画壁の内周面に吹付けられる。
【００２１】
このように、本発明では、発泡ウレタン断熱材７の吹付けは、床スラブ１から連続して立ちあがる外壁区画壁２の有無によりサッシ３のモルタル３１に吹付ける第１の実施の態様と床スラブ１から連続して立ち上がっている外壁区画壁２の内周面に吹付ける第２の態様とがある。
【００２２】
また、セルフレベリング材８の施工レベルは、図示のように断熱ボード６を被覆するように施工すると、容易に平坦さの精度が確保できる。しかし、断熱ボード６を被覆することに限定されるものではなく、このセルフレベリング材の施工レベルは断熱ボード６と同一レベルであってもよく、この場合、断熱ボード６の先行施工により、この断熱ボードをセルフレベリング材８の施工レベル定規に利用できる。
【００２３】
また、前記第１、第２の実施の態様では断熱ボードを使用したものであるが、第３の実施の態様として、図２に示すように断熱ボードに代えて断熱モルタル６１を使用するものがある。断熱モルタル６１としては、断熱・結露を防止する機能を有する無機質の軽量モルタルがあり、これには軽量微小中空体、炭素繊維、合成樹脂及び水溶性樹脂から成る半液体状の混和材とセメントを主成分とする粉体とを混練したものであって、例えば「ＩＤモルタル」（日本化成の商品名）がある。図２において、この断熱モルタル６１を施工する実施の態様では、発泡ウレタン７１をサッシの内周面３１ａに吹付ける施工を先に行い、その後で、断熱モルタル６１を発泡ウレタン７１の内周面と床スラブ１に施工すると、このモルタルを発砲ウレタン７１の凹凸面に隙間なく充填される。しかし、この第３の実施の態様では、断熱モルタル６１は固化に要する時間において、前記の断熱ボード６よりも長くなる問題がある。
【００２４】
そして、第３の実施の態様でも、前記第１、第２の実施の態様のように、セルフレベリング材８を流し込むが、この施工レベルは、図２のように断熱モルタル６１を被覆するように施工すると、容易に平坦さの精度が確保できる。しかし、前記の第１、第２の実施の態様と同様に、断熱モルタル６１を被覆することに限定されるものではなく、このセルフレベリング材の施工レベルを断熱モルタル６１と同一レベルであってもよい。
また、第４の実施の態様では、前記第２の実施の態様のように、床スラブ１から連続して立ち上がっている外壁区画壁２の構成でもよい。そして、発泡ウレタン断熱材７１は最初にこの外壁区画壁の内周面に吹付けられ、その後、断熱モルタル６１を発泡ウレタン断熱材７１の内周面に当接する状態で、床スラブ１に施工する。
【００２５】
【発明の効果】
したがって、本発明に係る建築構造物の断熱補強構造とその施工方法によると、直床仕上げを可能とし、断熱ボードを外壁区画壁またはサッシの内周面の際まで回すことができるため、際部の処理が容易であり、熱橋現象を防止し、次世代省エネルギー基準を満たすことができる。
【図面の簡単な説明】
【図１】断面図である。
【図２】他の実施の態様を示す断面図である。
【図３】従来例を示す断面図である。
【符号の説明】
１      床スラブ
２      外壁区画壁
３      サッシ
３１    隙間を埋めているモルタル
３１ａ  サッシ内周面
４      モルタル面台
６      断熱ボード
６１    断熱モルタル
７      発泡ウレタン
７１    発泡ウレタン
８      セルフレベリング材
９      床仕上げ材
【図１】
2004360278.tif 000003
【図２】
2004360278.tif 000004
【図３】
2004360278.tif 000005